(57)【要約】【課題】耐熱性の高い付加機能ユニットを提供する【解決手段】加湿給排気ユニット４は、空気調和機の室外機３に設けられ、空気調和機に加湿機能を付加するための加湿給排気ユニットであって、加湿給排気ユニットケーシング４０と構成部品４１−４９，６３，６５とを備える。加湿給排気ユニットケーシング４０は、ポリプロピレンにより形成される。構成部品４１−４９，６３，６５は、加湿給排気ユニットケーシング４０に収容される。【選択図】　　　　図３
2004077083.tif 000002
【特許請求の範囲】
【請求項１】
空気調和機（１）の室外機（３）に設けられ、前記空気調和機（１）に所定の機能を付加するための付加機能ユニット（４）であって、
ポリプロピレンにより形成される付加機能ユニットケーシング（４０）と、
前記付加機能ユニットケーシング（４０）に収容される構成部品（４１−４９，６３，６５）と、
を備える付加機能ユニット（４）。
【請求項２】
前記構成部品（４１−４９，６３，６５）は、加熱装置（４２）を含む、
請求項１に記載の付加機能ユニット（４）。
【請求項３】
前記構成部品（４１−４９，６３，６５）は、駆動装置（４３，６５）を含む、
請求項１に記載の付加機能ユニット（４）。
【請求項４】
加湿空気を室内へと送る加湿機能を前記空気調和機（１）に付加する、
請求項１から３のいずれかに記載の付加機能ユニット（４）。
【請求項５】
冷暖房を行うための冷媒回路構成部品（２１―２５）と前記冷媒回路構成部品（２１―２５）を収容する室外空調ユニットケーシング（５０）とを有する室外空調ユニット（５）と、
前記室外空調ユニット（５）の上に載置される請求項１から４のいずれかに記載の付加機能ユニット（４）と、
を備える空気調和機（１）の室外機（３）。
【発明の詳細な説明】
【０００１】
【発明の属する技術分野】
本発明は、空気調和機の室外機に設けられ空気調和機に所定の機能を付加するための付加機能ユニット及び室外機に関する。
【０００２】
【従来の技術】
近年、空気調和機に加湿機能や換気機能などの所定の機能を付加するための付加機能ユニットを備えた空気調和機が利用されるようになっている。この付加機能ユニットは、空気調和機の室外機に設けられ、上記の様な所定の機能を空気調和機に付加している。
【０００３】
このような付加機能ユニットのケーシングとしては、樹脂製のものがよく利用されており、従来、耐候性等の観点からＡＥＳ（アクリロニトリルエチレンプロピレンゴムスチレン共重合体）製のものが多い。
【０００４】
【発明が解決しようとする課題】
しかし、上記の様なＡＥＳで形成されたケーシングでは、耐熱性の観点から不具合が生じる場合がある。すなわち、付加機能ユニットのケーシング内には、付加機能を奏するための構成部品が収容されており、この構成部品には発熱するものが含まれる場合がある。従って、構成部品の熱が、ＡＥＳ製のケーシングが耐えうる温度よりも高くなる場合には、その熱によりケーシングが変形する恐れがある。このため、構成部品の熱がＡＥＳ製のケーシングが耐えうる温度よりも高くなる場合には、発熱する構成部品とケーシングとの間に耐熱用の部材を介在させるなどの熱対策を講じる必要がある。
【０００５】
このように、付加機能ユニットのケーシングの耐熱性が低い場合には不具合が生じる恐れがあるため、付加機能ユニットのケーシングは、より高い耐熱性を備えていることが望ましい。
本発明の課題は、耐熱性の高い付加機能ユニットを提供することにある。
【０００６】
【課題を解決するための手段】
請求項１に記載の付加機能ユニットは、空気調和機の室外機に設けられ、空気調和機に所定の機能を付加するための付加機能ユニットであって、付加機能ユニットケーシングと構成部品とを備える。付加機能ユニットケーシングは、ポリプロピレンにより形成される。構成部品は、付加機能ユニットケーシングに収容される。
【０００７】
この付加機能ユニットでは、構成部品を収容する付加機能ユニットケーシングが、ポリプロピレンにより形成される。このポリプロピレンは、ＡＥＳよりも荷重たわみ温度（ＪＩＳ　Ｋ７１９１−１〜Ｋ７１９１−３）が高いという性質を有している。従って、ポリプロピレンで形成された付加機能ユニットケーシングは、ＡＥＳで形成されたものよりも、高い温度まで許容することができる。これにより、この付加機能ユニットは、ＡＥＳ製のケーシングを備えるものよりも耐熱性が高くなっている。
【０００８】
請求項２に記載の付加機能ユニットは、請求項１に記載の付加機能ユニットであって、構成部品は、加熱装置を含む。
この付加機能ユニットでは、付加機能ユニットケーシングが収容する構成部品に加熱装置が含まれる。加熱装置は比較的大きな熱を発するが、この付加機能ユニットは、ポリプロピレン製の付加機能ユニットケーシングを備えているため、ＡＥＳ製のものよりも耐熱性が向上している。これにより、この付加機能ユニットでは、加熱装置が発する熱による不具合の発生を抑制することができる。
【０００９】
請求項３に記載の付加機能ユニットは、請求項１に記載の付加機能ユニットであって、構成部品は、駆動装置を含む。
この付加機能ユニットでは、付加機能ユニットケーシングが収容する構成部品に駆動装置が含まれる。駆動装置は、例えば、送風ファン等を駆動するモータであり、発熱する。しかし、この付加機能ユニットは、ポリプロピレンで形成された付加機能ユニットケーシングを備えているため、ＡＥＳ製のものよりも耐熱性が向上している。これにより、この付加機能ユニットでは、駆動装置が発する熱による不具合の発生を抑制することができる。
【００１０】
請求項４に記載の付加機能ユニットは、請求項１から３のいずれかに記載の付加機能ユニットであって、加湿空気を室内へと送る加湿機能を空気調和機に付加する。
この付加機能ユニットは、加湿空気を室内へと送る加湿機能を空気調和機に付加するものであり、付加機能ユニットケーシングはポリプロピレンで形成される。このため、この付加機能ユニットでは、加湿空気を室内へと送るための構成部品に加熱装置や駆動装置等の発熱するものが含まれている場合でも、それらから生じる熱による不具合の発生を抑制することができる。
【００１１】
請求項５に記載の空気調和機の室外機は、室外空調ユニットと付加機能ユニットとを備える。室外空調ユニットは、冷暖房を行うための冷媒回路構成部品と、冷媒回路構成部品を収容する室外空調ユニットケーシングとを有する。付加機能ユニットは、室外空調ユニットの上に載置される請求項１から４のいずれかに記載の付加機能ユニットである。
【００１２】
この空気調和機の室外機では、室外空調ユニットの上に付加機能ユニットが載置される。そして、付加機能ユニットは、ポリプロピレンで形成された付加機能ユニットケーシングを備えており、金属で形成されたものを備える場合よりも軽量化されている。このため、この室外機では、付加機能ユニットを搭載した場合でも全体の重量の増加を抑制することができる。
【００１３】
【発明の実施の形態】
＜空気調和機の概略構成＞
本発明の一実施形態に係る空気調和機の外観を図１に示す。
この空気調和機１は、室内の壁面などに取り付けられる室内機２と、室外に設置される室外機３とに分かれて構成されている。室外機３は、室外熱交換器やプロペラファンなどを収納する室外空調ユニット５と、加湿空気を室内へと送る加湿機能を空気調和機１に付加する加湿給排気ユニット４とを備えている。室内機２内には室内熱交換器が収納され、室外機３内には室外熱交換器が収納されている。そして、各熱交換器およびこれらの熱交換器を接続する冷媒配管３１，３２が、冷媒回路を構成している。また、室外機３と室内機２との間には、加湿給排気ユニット４からの加湿空気や室外空気等を室内機２側に供給するときや室内の空気を室外に排気するときに用いられる給排気ホース６が設けられている。
【００１４】
＜冷媒回路の構成＞
図２は、空気調和機１で用いられる冷媒回路の系統図に空気の流れの概略を付加したものである。
室内機２には、室内熱交換器１１が設けられている。この室内熱交換器１１は、長さ方向両端で複数回折り返されてなる伝熱管と、伝熱管が挿通される複数のフィンとからなり、接触する空気との間で熱交換を行う。
【００１５】
また、室内機２内には、クロスフローファン１２と、クロスフローファン１２を回転駆動する室内ファンモータ１３とが設けられている。クロスフローファン１２は、円筒形状に構成され、周面には多数の羽根が設けられており、回転軸と交わる方向に空気流を生成する。このクロスフローファン１２は、室内空気を室内機２内に吸い込ませるとともに、室内熱交換器１１との間で熱交換を行った後の空気を室内に吹き出させる。
【００１６】
室外空調ユニット５には、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続された電動弁２５とが設けられている。電動弁２５は、フィルタ２６および液閉鎖弁２７を介して冷媒配管３２に接続されており、この冷媒配管３２を介して室内熱交換器１１の一端と接続される。また、四路切換弁２２は、ガス閉鎖弁２８を介して冷媒配管３１に接続されており、この冷媒配管３１を介して室内熱交換器１１の他端と接続されている。これらの冷媒配管３１，３２は、上述した給排気ホース６とともに集合連絡管７を形成する。
【００１７】
また、室外空調ユニット５内には、室外熱交換器２４での熱交換後の空気を外部に排出するためのプロペラファン２９が設けられている。このプロペラファン２９は、室外ファンモータ３０によって回転駆動される。
＜室外機の構成＞
室外機３は、図１に示すように室外空調ユニット５および加湿給排気ユニット４が一体となって構成されており、室外空調ユニット５の上に加湿給排気ユニット４が載置されている。
【００１８】
まず、図３に基づいて室外空調ユニット５の構成について説明する。
〔室外空調ユニットに係る構成〕
室外空調ユニット５は、冷暖房を行うための冷媒回路構成部品や冷媒回路構成部品を収容する室外空調ユニットケーシング５０（図１参照）等により構成されている。
【００１９】
室外空調ユニットケーシング５０は、図３に示す、前面パネル５１、側板５２，５３、保護金網（図示せず）、金属製の底板５４等のケーシング部材により構成されている。
前面パネル５１は、室外空調ユニット５の前面を覆う樹脂製の部材であり、室外熱交換器２４に対して室外熱交換器２４を通った空気の下流側に配置されている。前面パネル５１には、複数のスリット状の開口からなる室外空調ユニット吹出口５１ａが設けられており、室外熱交換器２４を通った空気は、室外空調ユニット５の内部からこの室外空調ユニット吹出口５１ａを通って室外機３の外部へと吹き出す。また、前面パネル５１の後方には、ファン吹出口部材５６と仕切板５７とが取り付けられる。
【００２０】
側板５２，５３には右側板５２および左側板５３があり、これらは室外空調ユニット５の側方を覆う金属製の部材である。ここでは、右側に右側板５２、左側に左側板５３が設けられている。なお、本実施形態中で述べる左右とは、室外機３の正面視における左右を言うものとする。各側板５２，５３は、室外熱交換器２４を通って室外空調ユニット吹出口５１ａから吹き出す空気の吹き出し方向に対して概ね平行に設けられている。また、右側板５２には、液閉鎖弁２７およびガス閉鎖弁２８（図２参照）を保護するための閉鎖弁カバー５５が取り付けられる。
【００２１】
冷媒回路構成部品には、室外熱交換器２４、圧縮機２１、アキュムレータ２３、四路切換弁２２、電動弁２５等（図２参照）がある。
室外熱交換器２４は、平面視において略Ｌ字形状を有し、室外空調ユニット５の背面を覆う保護金網の前方に配置される。
室外熱交換器２４の前方であって、仕切板５７と左側板５３との間の通気スペースには、室外ファンモータ３０とプロペラファン２９とが設けられている。室外ファンモータ３０は、プロペラファン２９を回転させる。プロペラファン２９は、室外空調ユニット５内に取り入れた空気を室外熱交換器２４と接触させ室外空調ユニット吹出口５１ａから前面パネル５１の前方に排気させる。
【００２２】
圧縮機２１、アキュムレータ２３、四路切換弁２２、電動弁２５などの他の冷媒回路構成部品は、仕切板５７と右側板５２との間の機械室に配置されている。また、室外空調ユニット５の上部には、電装品ユニット５８が取り付けられる。この電装品ユニット５８は、電装品箱と各部を制御するための回路部品を搭載したプリント基板とにより構成されている。電装品ユニット５８の上方には防炎板５９が取り付けられる。
【００２３】
〔加湿給排気ユニットに係る構成〕
次に、加湿給排気ユニット４に係る構成について図３に基づいて説明する。加湿給排気ユニット４は、加湿給排気ユニットケーシング４０と、加湿給排気ユニットケーシング４０に収容される構成部品とを備えている。
（加湿給排気ユニットケーシング）
加湿給排気ユニットケーシング４０は、加湿給排気ユニット４の前方、後方および両側方を覆っており、室外空調ユニット５の上部に接するように配置される。加湿給排気ユニットケーシング４０は、後述する加湿給排気ユニット締結部において室外空調ユニット５と螺子止めされる。加湿給排気ユニットケーシング４０の前面には、複数のスリット状の開口からなる吸着用空気吹出口４０ａが設けられており、空気がこの吸着用空気吹出口４０ａを通って室外機３の外部へと吹き出す。また、加湿給排気ユニットケーシング４０の背面には、吸着用空気吸込口４０ｂおよび給排気口４０ｃが左右方向に並んで設けられている。吸着用空気吸込口４０ｂは、前面側から見て左側に設けられており、給排気口４０ｃは、前面側から見て右側に配置されている。吸着用空気吸込口４０ｂは、吸加湿ロータ４１に水分を吸着させるために室外から取り入れられる空気が通る開口である。給排気口４０ｃは、室内機２へと送られるために取り込まれる空気が通る、または、室内機２から取り込まれて室外へと排気される空気が通る開口である。
【００２４】
なお、加湿給排気ユニットケーシング４０の上部は、天板６６により覆われている。
加湿給排気ユニットケーシング４０内は、右側が吸加湿ロータ４１等を収容する空間、左側が吸着用ファン４６等を収容する吸着用ファン収納空間Ｓ１となっている。この加湿給排気ユニットケーシング４０内には、吸加湿ロータ４１、ヒータ組立体４２、ラジアルファン組立体４３、切換ダンパ４４、吸着側ダクト４５、吸着用ファン４６などの構成部品が収容されている。
【００２５】
この加湿給排気ユニットケーシング４０は、ポリプロピレンにより形成されており、上記の吸加湿ロータ４１等を収容する空間、吸着用ファン４６等を収容する吸着用ファン収納空間Ｓ１、その他の構成部品が配置される部分等を構成するように一体成形されている。
また、図４に示すように、加湿給排気ユニットケーシング４０の側壁４００、すなわち、加湿給排気ユニットケーシング４０の前面、側面および背面は、製造上の観点から、厚みが概ね一定で、且つ、上方へいくほど外側に傾斜しているが、この点については後の＜特徴＞の欄で説明する。
【００２６】
さらに、加湿給排気ユニットケーシング４０には、図５に示すような加湿給排気ユニット締結部４０２が設けられている。この加湿給排気ユニット締結部４０２は、加湿給排気ユニット４と室外空調ユニット５とを固定する部分であり、室外空調ユニットケーシング５０に設けられる室外空調ユニット締結部５００と螺子Ｎによって締結される。この、加湿給排気ユニット締結部４０２は、加湿給排気ユニットケーシング４０の底面４０１から下方へ突出するように設けられており、螺子Ｎが通る螺子穴４０３を有している。そして、加湿給排気ユニット締結部４０２は、螺子穴４０３の周囲部分の厚みを他の部分よりも厚くする肉盛部４０４を有している。
【００２７】
（加湿給排気ユニットケーシングに収容される構成部品）
次に、加湿給排気ユニットケーシング４０に収容される構成部品について図３に基づいて説明する。構成部品としては、吸加湿ロータ４１、ヒータ組立体４２、ラジアルファン組立体４３、切換ダンパ４４、吸着側ダクト４５、吸着用ファン４６等がある。
【００２８】
吸加湿ロータ４１は、概ね円板形状を有するハニカム構造のセラミックロータであり、空気が容易に通過できる構造となっている。吸加湿ロータ４１は、平面視において円形を有するロータであり、水平面で切った断面において細かいハニカム（蜂の巣）状になっている。そして、これらの断面が多角形である吸加湿ロータ４１の多数の筒部分を、空気が通過する。
【００２９】
吸加湿ロータ４１の主たる部分は、ゼオライト、シリカゲル、あるいはアルミナといった吸着剤から焼成されている。このゼオライト等の吸着剤は、接触する空気中の水分を吸着し、加熱されることによって吸着した水分を脱着する性質を有している。
この吸加湿ロータ４１は、加湿給排気ユニットケーシング４０に一体成形された支持軸４０ｄに、図示しないロータガイドを介して回動可能に支持される。吸加湿ロータ４１の周面には、ギヤが形成されており、ロータ駆動モータ４７の駆動軸に取り付けられるロータ駆動ギヤ４８と歯合している。
【００３０】
ヒータ組立体４２は、吸加湿ロータ４１の上面の略半分（右側の半分）を覆うように配置されている。ヒータ組立体４２の下面には、空気を吸入するための吸入口と、ヒータ組立体４２で加熱された空気を吸加湿ロータ４１側へ排出するための排出口とが形成されている。このヒータ組立体４２は、ヒータ支持板４９を介して吸加湿ロータ４１の上方に取り付けられる。
【００３１】
ラジアルファン組立体４３は、吸加湿ロータ４１の側方に配置されている。ラジアルファン組立体４３は、室外から取り入れた空気を室内機２へと送るか、又は、室内機２から取り入れた空気を室外へと排出する。ラジアルファン組立体４３は、切換ダンパ４４が切り替わることにより、これらの動作を切り替える。ラジアルファン組立体４３は、室外から取り入れた空気を室内機２へと送る場合には、吸加湿ロータ４１を通過して吸加湿ロータ４１の右側の略半分の部分のうち手前側の部分から降りてきた空気を、給排気ダクト６１へと送り出す。給排気ダクト６１は、給排気ホース６（図１参照）に接続されており、給排気ダクト６１と給排気ホース６とにより構成される搬送経路は、ラジアルファン組立体４３と室内機２とを繋いでいる。ラジアルファン組立体４３は、給排気ダクト６１と給排気ホース６とを介して空気を室内機２へと供給する。ラジアルファン組立体４３は、室内機２から取り入れた室内の空気を室外へと排出する場合には、給排気ダクト６１から送られてきた空気を加湿給排気ユニットケーシング４０の背面に設けられた給排気口４０ｃから室外へと排出する。
【００３２】
切換ダンパ４４は、ラジアルファン組立体４３の下方に配置される回転式の空気流路切換手段であり、第１状態と第２状態とに切り替わる。第１状態においては、ラジアルファン組立体４３から吹き出された空気は、給排気ダクト６１を経て給排気ホース６を通って室内機２へと供給されるようになる。これにより、第１状態では、図２の実線矢印Ａ１で示す矢印の向きに空気が流れ、加湿空気あるいは室外空気が給排気ホース６を通って室内機２へと供給されるようになる。第２状態では、図２の破線矢印Ａ２で示す矢印の向きに空気が流れ、室内機２から給排気ホース６を通ってきた空気がラジアルファン組立体４３から給排気口４０ｃを経て室外へと排気される。
【００３３】
吸着側ダクト４５は、吸加湿ロータ４１の上面のうちヒータ組立体４２が位置しない部分（左側の略半分の部分）を覆っている。この吸着側ダクト４５は、後述する吸着側ベルマウス６３とともに、吸加湿ロータ４１の左半分の部分の上面から以下に説明する吸着用ファン収納空間Ｓ１の上部へと通じる空気流路を形成する。
【００３４】
吸着用ファン収納空間Ｓ１に収容される吸着用ファン４６は、吸着用ファンモータ６５によって回転する遠心ファンであり、上部に配置される吸着側ベルマウス６３の開口部６３ａから空気を吸込むことで、吸着用空気吸込口４０ｂから吸加湿ロータ４１を介して、開口部６３ａへ流れる気流を生成する。そして、吸着用ファン４６は、吸加湿ロータ４１を通る際に水分を吸着された乾燥空気を吸着用空気吹出口４０ａから加湿給排気ユニットケーシング４０の前方へ向けて排気する。吸着側ベルマウス６３は、吸着用ファン収納空間Ｓ１の上部に設けられており、吸着側ダクト４５によって形成される空気流路を通ってくる空気を吸着用ファン４６へと導く役割を果たす。
【００３５】
＜加湿給排気ユニットの動作＞
空気調和機１に加湿機能を付加する加湿給排気ユニット４の動作について図２及び図３に基づいて説明する。
加湿給排気ユニット４は、吸着用ファン４６を回転駆動することによって、室外からの空気を吸着用空気吸込口４０ｂから加湿給排気ユニットケーシング４０内に取り入れる。加湿給排気ユニットケーシング４０内に入ってきた空気は、吸加湿ロータ４１の左側の略半分の部分を通過して、吸着側ダクト４５および吸着側ベルマウス６３により形成される空気流路および吸着用ファン４６を介して、吸着ファン収納空間Ｓ１から吸着用空気吹出口４０ａを通って室外機３の前方へと排出される（図２の矢印Ａ４及び図３参照）。加湿給排気ユニットケーシング４０内に室外から取り入れられた空気が吸加湿ロータ４１の左側の略半分の部分を通過する際に、吸加湿ロータ４１は、空気中に含まれている水分を吸着する。
【００３６】
この吸着工程で水分を吸着した吸加湿ロータ４１の左側の略半分の部分は、吸加湿ロータ４１が回転することによって、吸加湿ロータ４１の右側の略半分の部分となる。すなわち、吸着された水分は、吸加湿ロータ４１の回転に伴い、ヒータ組立体４２の下方に位置する吸加湿ロータ４１の部分に移動してくる。そして、ここに移動してきた水分は、ヒータ組立体４２からの熱により、ラジアルファン組立体４３によって生成される空気流中に離脱していく。
【００３７】
ラジアルファン組立体４３を駆動すると、給排気口４０ｃから加湿給排気ユニットケーシング４０内に室外の空気が取り込まれ、その空気が吸加湿ロータ４１の左側の略半分の部分のうち奥の部分の下方から上方に向けて通過し、ヒータ組立体４２の下面の吸入口からヒータ組立体４２内に導入される。そして、ヒータ組立体４２内に入った空気は、ヒータ組立体４２の下面の排出口から排出され、吸加湿ロータ４１の左側の略半分の部分のうち手前の部分を上方から下方に通過する（図２の矢印Ａ５参照）。このような空気流は、ラジアルファン組立体４３が生成するものである。ラジアルファン組立体４３は、上記のように吸加湿ロータ４１を通り抜けてきた空気を、給排気ダクト６１および給排気ホース６を介して室内機２へと送る（図２の矢印Ａ１参照）。この室内機２へと送られる空気は、吸加湿ロータ４１に吸着されていた水分を含むようになっている。
【００３８】
このようにして加湿給排気ユニット４から室内機２に供給された空気は、室内熱交換器１１を経て室内に吹き出される。なお、この空気調和機１は、吸着用ファンモータ６５やヒータ組立体４２を作動させないことにより、加湿を行わずに室外の空気を取り入れて室内機２へと送る給気換気のみを行うこともできる。
＜特徴＞
（１）
加湿給排気ユニット４の構成部品には、空気調和機１に加湿機能を付加するために、ヒータ組立体４２やラジアルファン組立体４３が含まれる。そして、これらの構成部品は発熱する。すなわち、ヒータ組立体４２は、吸加湿ロータ４１へ送られる空気を加熱するために高温になる。また、ラジアルファン組立体４３は、数千回転もの高回転で駆動されるため発熱量も大きい。従って、加湿給排気ユニットケーシング４０がこれらの熱に耐えられない場合には、これらの構成部品と加湿給排気ユニットケーシング４０との間に断熱用部材を介在させる等の熱対策を講じる必要がある。
【００３９】
しかし、この加湿給排気ユニット４では、加湿給排気ユニットケーシング４０がポリプロピレンで形成されている。ポリプロピレンは、荷重たわみ温度（１．８２ＭＰａ荷重）が１００〜１１５℃であり、荷重たわみ温度が約９０℃であるＡＥＳと比べると耐熱性が高い。このため、この加湿給排気ユニット４では、加湿給排気ユニットケーシング４０に、ヒータ組立体４２やラジアルファン組立体４３のような発熱する構成部品を直接に収容することができる。
【００４０】
また、ラジアルファン組立体４３の回転数が上がると発熱量も増大する。しかし、加湿給排気ユニットケーシング４０は、上記のようにＡＥＳ製のものよりも耐熱性が高いため、ラジアルファン組立体４３をさらに高回転で駆動しても、その熱に耐えることができる。
（２）
ポリプロピレンは、その比重が約０．９であり、約１．０３のＡＥＳと比べて比重が小さい。
【００４１】
加湿給排気ユニット４では、加湿給排気ユニットケーシング４０がポリプロピレンで形成されているため、ＡＥＳで形成される場合よりも、加湿給排気ユニット４が軽量化されている。このため、この空気調和機１では、加湿給排気ユニット４を備えることによる室外機３の重量増加が抑制されている。
また、室外空調ユニット５の上に載置される加湿給排気ユニット４が軽量化されるため、下方の室外空調ユニット５へ与える負担が軽減されている。
【００４２】
（３）
ラジアルファン組立体４３に内蔵されるモータや吸着用ファンモータ６５には油が用いられるため、加湿給排気ユニットケーシング４０の耐油性が低いとモータから流出した油によって割れが発生する恐れがある。従って、割れの発生を防止するために、油の流出を防ぐ構造を設ける必要がある。
【００４３】
しかし、ポリプロピレンは、耐油性に関してＡＥＳよりも強い。このため、この加湿給排気ユニット４では、モータの油が加湿給排気ユニットケーシング４０内に流出した場合でも割れが発生しにくい。従って、この加湿給排気ユニット４では、油の流出を防ぐ構造を省略することができる。
（４）
一般に、ポリプロピレンは、ＡＥＳよりも安価である。
【００４４】
このため、加湿給排気ユニット４では、ポリプロピレンにより加湿給排気ユニットケーシング４０を形成することにより、コストが低減されている。
（５）
ポリプロピレンは、収縮率が比較的大きいため、金型により加湿給排気ユニットケーシングを成形する場合には、金型抜き勾配を大きくとる必要がある。すなわち、図６に示すように、加湿給排気ユニットケーシングの内部に入り込む金型Ｋ１０を抜く方向（白抜き矢印Ａ１０参照）へ向けて金型Ｋ１０が入る空間が広がるように加湿給排気ユニットケーシングを形成する必要がある。この場合、加湿給排気ユニットケーシングの側壁６００の底面６０１に近い部分が厚く、上方の部分が薄くなるように、加湿給排気ユニットケーシングの側壁６００の内側を傾斜させることが考えられる。しかし、これでは加湿給排気ユニットケーシングの側壁６００の底面６０１に近い部分が厚肉となり、成形後、表面に凹みＤが生じやすくなる。
【００４５】
しかし、この加湿給排気ユニットケーシング４０は、上記の（加湿給排気ユニットケーシング）の欄で述べたように、加湿給排気ユニットケーシング４０の側壁４００は、厚みが概ね一定で、且つ、上方へいくほど外側に傾斜している（図４参照）。このため、この加湿給排気ユニットケーシング４０は、金型Ｋ１０を抜く方向（図４の白抜き矢印Ａ１１参照）へ向けて金型Ｋ１０が入る空間が広がるように形成されつつも、加湿給排気ユニットケーシング４０の側壁４００が厚肉になることが防止されている。このため、この加湿給排気ユニットケーシング４０は、成形後に凹みが生じることを防ぎ、外観を良好に保つことができる。
【００４６】
（６）
ポリプロピレンは耐候性が比較的強いという性質を有している。このため、この加湿給排気ユニット４では、加湿給排気ユニット４が室外に置かれても、経時変化による変色が防止されている。
（７）
この空気調和機１の室外機３では、下部に室外空調ユニット５が設けられ、室外空調ユニット５の上に加湿給排気ユニット４が載置されている。そして、室外空調ユニットケーシング５０は金属で形成されており、大きな重量に耐えうるようになっている。また、加湿給排気ユニットケーシング４０はポリプロピレンで形成されることにより軽量化されている。このため、この空気調和機１の室外機３では、重量に耐えうる強度が十分に担保されている。
【００４７】
（８）
ポリプロピレンは、ＡＥＳよりも強度が小さい。このため、加湿給排気ユニット締結部４０２のように大きな力がかかる部分では、割れ等が生じる恐れがある。
しかし、この加湿給排気ユニットケーシング４０では、上記の（加湿給排気ユニットケーシング）の欄で述べたように、加湿給排気ユニット締結部４０２は、螺子穴４０３の周囲部分の厚みを他の部分よりも厚くする肉盛部４０４を有している。このため、加湿給排気ユニット締結部４０２に割れが生じることが防止されている。
【００４８】
【発明の効果】
請求項１に記載の付加機能ユニットでは、構成部品を収容する付加機能ユニットケーシングが、ポリプロピレンにより形成される。このポリプロピレンは、ＡＥＳよりも荷重たわみ温度（ＪＩＳ　Ｋ７１９１−１〜Ｋ７１９１−３）が高いという性質を有している。従って、ポリプロピレンで形成された付加機能ユニットケーシングは、ＡＥＳで形成されたものよりも、高い温度まで許容することができる。これにより、この付加機能ユニットは、ＡＥＳ製のケーシングを備えるものよりも耐熱性が高くなっている。
【００４９】
請求項２に記載の付加機能ユニットでは、付加機能ユニットケーシングが収容する構成部品に加熱装置が含まれる。加熱装置は比較的大きな熱を発するが、この付加機能ユニットは、ポリプロピレン製の付加機能ユニットケーシングを備えているため、ＡＥＳ製のものよりも耐熱性が向上している。これにより、この付加機能ユニットでは、加熱装置が発する熱による不具合の発生を抑制することができる。
【００５０】
請求項３に記載の付加機能ユニットでは、付加機能ユニットケーシングが収容する構成部品に駆動装置が含まれる。駆動装置は、例えば、送風ファン等を駆動するモータであり、発熱する。しかし、この付加機能ユニットは、ポリプロピレンで形成された付加機能ユニットケーシングを備えているため、ＡＥＳ製のものよりも耐熱性が向上している。これにより、この付加機能ユニットでは、駆動装置が発する熱による不具合の発生を抑制することができる。
【００５１】
請求項４に記載の付加機能ユニットは、加湿空気を室内へと送る加湿機能を空気調和機に付加するものであり、付加機能ユニットケーシングはポリプロピレンで形成される。このため、この付加機能ユニットでは、加湿空気を室内へと送るための構成部品に加熱装置や駆動装置等の発熱するものが含まれている場合でも、それらから生じる熱による不具合の発生を抑制することができる。
【００５２】
請求項５に記載の空気調和機の室外機では、室外空調ユニットの上に付加機能ユニットが載置される。そして、付加機能ユニットは、ポリプロピレンで形成された付加機能ユニットケーシングを備えており、金属で形成されたものを備える場合よりも軽量化されている。このため、この室外機では、付加機能ユニットを搭載した場合でも全体の重量の増加を抑制することができる。
【図面の簡単な説明】
【図１】空気調和機の外観図。
【図２】冷媒回路の構成図。
【図３】室外機の分解斜視図。
【図４】本発明にかかる加湿給排気ユニットケーシングの金型成形時を表す図。
【図５】加湿給排気ユニット締結部の拡大図。
【図６】従来の加湿給排気ユニットケーシングの金型成形時を表す図。
【符号の説明】
１　　　　　　　　　　　空気調和機
３　　　　　　　　　　　室外機
４　　　　　　　　　　　加湿給排気ユニット（付加機能ユニット）
５　　　　　　　　　　　室外空調ユニット
２１―２５　　　　　　　冷媒回路構成部品
４１−４９，６３，６５　構成部品
４０　　　　　　　　　　加湿給排気ユニットケーシング（付加機能ユニットケーシング）
４２　　　　　　　　　　ヒータ組立体（加熱装置）
４３　　　　　　　　　　ラジアルファン組立体（駆動装置）
５０　　　　　　　　　　室外空調ユニットケーシング
６５　　　　　　　　　　吸着用ファンモータ（駆動装置）
【図１】
2004077083.tif 000003
【図２】
2004077083.tif 000004
【図３】
2004077083.tif 000005
【図４】
2004077083.tif 000006
【図５】
2004077083.tif 000007
【図６】
2004077083.tif 000008